(57)【要約】  【課題】  十分な安心感を得易く、しかも、散布箇所に塩化ナトリウムが残留し難い清め塩を提供する。  【解決手段】  塩化ナトリウム含有成分と、灰成分と、乾燥ハーブ成分とを含み、灰成分が香灰からなり、塩化ナトリウム含有成分が、岩塩の粉砕物からなり、この塩化ナトリウム含有成分及び／又は乾燥ハーブ成分が、１００メッシュ以下の微粒子からなる。【選択図】  なし【特許請求の範囲】
【請求項１】
塩化ナトリウム含有成分と、灰成分と、乾燥ハーブ成分とを含むことを特徴とする清め塩。
【請求項２】
灰成分が香灰からなることを特徴とする請求項１に記載の清め塩。
【請求項３】
塩化ナトリウム含有成分及び／又は乾燥ハーブ成分が、１００メッシュ以下の微粒子からなることを特徴とする請求項１に記載の清め塩。
【請求項４】
塩化ナトリウム含有成分が、岩塩の粉砕物からなることを特徴とする請求項１乃至は３の何れか一つに記載の清め塩。
【発明の詳細な説明】
【技術分野】
【０００１】
本発明は、心身を清めたり、家内外の場所や物品を清める際に使用される清め塩に関するものである。
【背景技術】
【０００２】
古くから、清め塩は、葬祭や神社、仏閣等へのお参りの際、或いは、霊的障害、魔除け、厄払い、除霊の際などに、人体、家内外の場所や各種の物品に散布したり、配置して用いられていた。近年では、リサイクル品や中古車等やお金などに散布や配置して用いることも行われている。
【０００３】
このような清め塩は、人体や場所、各種物品などに散布したり、配置することにより、心身の清めの効果、癒しの効果、情緒安定の効果など、安心感を与える効果が得られる。
【０００４】
従来、この清め塩として、食塩や工業用等の塩化ナトリウムなどが用いられている。
【発明の開示】
【発明が解決しようとする課題】
【０００５】
しかしながら、このような食塩や工業用等の塩化ナトリウムは、比較的粗大な粒子からなるものが多い。そのため、散布する際には、少量では、狭い領域にしか散布することができず、十分な安心感が得られない。
【０００６】
一方、安心感が得られる程度に十分な、或いは、過剰な量を散布すると、散布後に食塩や工業用等の塩化ナトリウムが散布箇所に残留する。これらの塩化ナトリウムは、水分などが存在すると、付着して留まり易い。また、水分が存在しない散布箇所であっても、残留すると、潮解性等により、べたついたり、錆が発生する等、汚染の原因となり易い。特に、清め塩は、散布後に消失することによって、その効果を視覚的に確認して安心感を得る側面を有するため、散布箇所に残留していることが感覚的に把握されることは好ましくない。
【０００７】
そこで、本発明では、十分な安心感を得易く、しかも、散布箇所に塩化ナトリウムが残留し難い清め塩を提供することを課題とする。
【課題を解決するための手段】
【０００８】
上記課題を解決する請求項１に記載の発明は、塩化ナトリウム含有成分と、灰成分と、乾燥ハーブ成分とを含むことを特徴とする。
請求項２に記載の発明は、灰成分が香灰からなることを特徴とする。
請求項３に記載の発明は、塩化ナトリウム含有成分及び／又は乾燥ハーブ成分が、１００メッシュ以下の微粒子からなることを特徴とする。
請求項４に記載の発明は、塩化ナトリウム含有成分が、岩塩の粉砕物からなることを特徴とする。
【発明の効果】
【０００９】
請求項１に記載の清め塩にあっては、塩化ナトリウム含有成分の他に、灰成分と乾燥ハーブ成分とを含有するので、清め塩を散布した際、微細な灰成分が散布箇所の周囲に広がり易く、視覚的に散布した状態を確認できると共に、乾燥ハーブ成分からの芳香が散布箇所に広がり、嗅覚的に散布した状態を確認し易い。そのため、散布により安心感を得易い。同時に、清め塩中に含まれる塩化ナトリウム成分の割合が少ない上に、撒いた状態を確認して安心感を得やすいため、散布量を少なく抑えることができ、散布箇所に散布される塩化ナトリウム量を相乗的に少なく抑えることができ、散布箇所に残留する塩化ナトリウムによる汚染を抑制できる。
しかも、散布後には、微細な灰成分が容易に散布箇所から飛散して、散布箇所に留まり難いため、一層、安心感を得易いと共に、散布箇所の汚染を抑え易い。
【００１０】
請求項２に記載の清め塩にあっては、灰成分が香灰からなるので、安心感を与えやすい上、灰成分の各種の物性が安定しているため、繰り返し、或いは、連続して製造する際に製造し易い。
【００１１】
請求項３に記載の清め塩にあっては、より多くの成分が微粒子からなるので、散布箇所の周囲により広がり易く、視覚的に散布した状態をより確認し易い。
【００１２】
請求項４に記載の清め塩にあっては、塩化ナトリウム含有成分が、岩塩の粉砕物からなるので、食塩や工業用塩化ナトリウム等を用いる場合に比べ、水分に対する安定性に優れ、散布箇所への塩化ナトリウムによる汚染を抑制し易い。
【発明を実施するための最良の形態】
【００１３】
この清め塩は、塩化ナトリウム含有成分と、灰成分と、乾燥ハーブ成分とを含有するものであり、各種の目的で配合され、或いは、不可避に混入される他の成分が含有されていてもよい。これらの各成分が、より均一に混合されているものが好ましい。
【００１４】
この清め塩において、塩化ナトリウム成分は、食塩や工業用塩化ナトリウム等の人工の塩化ナトリウムであってもよいが、好ましくは、岩塩を粉砕した粉砕物からなる粒体又は粉体を用いる。岩塩であれば、食塩や工業用塩化ナトリウム等に比べて、水分に対する安定性に優れることが期待でき、散布箇所への塩化ナトリウムによる汚染を抑制し易いからである。特に、パキスタンのヒマラヤ山脈で採取される岩塩であれば、安心感をより得易く、好適である。
【００１５】
塩化ナトリウム成分は、粒体又は粉体からなるものであれば使用可能であるが、散布した際により広い範囲に広がり易く、散布後に、飛散して消失し易いという理由で、微粒子からなる粉体が好ましく、１００メッシュ以下の微粒子、特に、２００メッシュ以下の微粒子からなるものが好適である。
【００１６】
この清め塩の灰成分は、各種の物質を燃焼させた後に残留する灰分である。一般に、燃焼後に残留する灰分は、微細な粒径を有する粒子になり易く、飛散し易いものである。そのため、本発明では、塩化ナトリウム成分と共に灰成分を混合させることにより、清め塩を散布した際、及び散布後に、微粒子からなる灰成分を飛散させて、視覚的な効果を得ると同時に、塩化ナトリウムの散布量を減少させている。
【００１７】
このような灰成分としては、竹、木材、紙、ごみ等の各種の有機物を焼却した後に生じる焼却灰、炭等の燃料の燃焼後に生じる燃焼灰、焼却時或いは燃焼時に飛散する飛灰等、微粒子化している灰分を使用することができる。なお、飛散可能な程度に微粒子化していない灰分の場合には、粉砕して微粒子化することにより使用してもよい。
【００１８】
特に、灰成分として、香灰を用いるのが好ましい。この香灰は、仏事等に使用されたものであるため、安心感を与えやすいからである。しかも、御香の燃焼により得られるものであるため、灰成分の組成や形態等、各種の物性が安定しており、繰り返し、或いは、連続して清め塩を製造する際等には、各種の製造条件の調整が容易で、製造し易いからである。
【００１９】
この清め塩の乾燥ハーブ成分は、常温大気下で芳香が得られる植物の乾燥物である。具体的には、乾燥させたラベンダー、ローズ、伽羅、白檀、蓮の根等の仏具用に用いられるハーブ、柑橘系ハーブ、ミント、竹等のグリーン系ハーブなどを用いることができる。
【００２０】
この乾燥ハーブ成分としては、散布可能な形態に粉砕したものが好ましく、粒体又は粉体からなるのがよい。散布した際により広い範囲に広がり易く、散布後に、飛散して消失し易いという理由で、微粒子からなる粉体が好ましく、１００メッシュ以下の微粒子、特に、２００メッシュ以下の微粒子からなるものが好適である。
【００２１】
この清め塩においては、上記のような必須の成分と共に各種の目的で他の成分を添加してもよい。このような成分としては、塩化ナトリウム成分、灰成分、乾燥ハーブ成分に対し、変質等の悪影響を与えない乾燥された物質であれば、適宜、目的に応じて使用することができる。その場合、散布可能な程度の粉体又は粒体からなるのがよく、微粒子からなる粉体が好適である。
例えば、より安心感を与える効果を期待して、米、麦、黍、豆、粟からなる五穀を乾燥させると共に粉砕して添加することができる。
【００２２】
そして、この清め塩は、以上のような成分を混合してなる混合物であり、各成分の混合割合は適宜設定することができる。ここでは、塩化ナトリウム含有成分及び灰成分に対する乾燥ハーブ成分の混合割合は調整されることが望ましい。好ましくは、塩化ナトリウム含有成分及び灰成分１００質量部に対して乾燥ハーブ成分を１質量部〜２０質量部、特に、１質量部〜１５質量部とするのが好適である。乾燥ハーブ成分が少なすぎると、芳香が少なく嗅覚的に散布した状態を確認し難くなり易く、一方、乾燥ハーブ成分が多すぎると、芳香が強くなりすぎ、散布時に安心感を得難く、また、散布後に、散布箇所に芳香が留まり消失し難くなるからである。
【００２３】
また、塩化ナトリウム含有成分と灰成分との混合割合を調整することも好ましく、例えば、塩化ナトリウム含有成分１００質量部に対して灰成分を２０質量部〜５００質量部としてもよい。塩化ナトリウム含有成分に対して灰成分が少なすぎると、散布時に周囲に広がる外観がやや劣り、視覚的に散布の状態を確認して得られる安心感が不足し易くなり、また、塩化ナトリウム含有成分の散布量が増加する。一方、塩化ナトリウム含有成分に対して灰成分が多すぎると、塩化ナトリウム含有成分が不足して、本来の清め塩として得られる安心感が不足し易い。
【００２４】
このような構成の清め塩を製造するには、各成分が均一に分散させるように混合すればよく、特に、灰成分をなるべく均一に混合させるのがよい。また、各成分をより粒径の小さい粒体又は粉体にする混合には、各成分を別々にミルや乳鉢等により粉砕し、その後、混合することにより製造するのが好ましい。
【００２５】
各成分の粉砕にあたっては、それぞれの被粉砕原料中に、ゴミ等の各種の不要物が混入されているため、粉砕途中に篩分けなどを行い、不要物を分離して除去するのが好ましく、粉砕と篩分けを複数回繰り返すのがより好ましい。
【００２６】
このようにして製造された清め塩を使用するには、従来から清め塩として使用する場合と全く同様に、人体や場所、衣服、リサイクル品、中古車、お金等の各種物品などに向けて散布したり、配置することにより使用することができる。また、この清め塩を、人体の腕、肩、首、更には全身にすり込んで使用することもできる。
【００２７】
以上のような清め塩によれば、塩化ナトリウム含有成分の他に、灰成分と乾燥ハーブ成分とを含有しているので、清め塩を散布した際、微細な灰成分が散布箇所の周囲に広がり易く、灰成分や微粒子化された他の成分が空中で一時的に漂い、適度に分散された状態で視認され、視覚的に散布した状態を確認できる。同時に、乾燥ハーブ成分からの芳香が散布箇所に広がり、一時的に適度な芳香が漂うため、嗅覚的に散布した状態を確認し易い。そのため、散布することにより十分な安心感が得られる。
【００２８】
また、従来と同等の量を把持して散布すれば、清め塩中に含まれる塩化ナトリウム含有成分の割合が少ないため、散布される塩化ナトリウム含有成分の量を少なくできる上、散布した状態を確認して安心感を得やすいため、従来より少ない量を散布しても十分な安心感を得ることができ、全体の散布量を少なく抑えることができる。そのため、散布箇所に散布される塩化ナトリウム量を相乗的に少なく抑えることができ、散布箇所への塩化ナトリウムによる汚染を抑制できる。
しかも、散布後には、微細な灰成分が容易に散布箇所から飛散して、散布箇所に留まり難いため、清められたという実感を得やすく、一層、安心感が得られると共に、各成分が飛散されるため散布箇所の汚染を抑え易い。
【００２９】
また、散布後に散布箇所に付着等により残留しても、各成分の粒径が小さいため、単位面積当たりに残留する清め塩の量が少なく、散布箇所に与える影響も少なく抑えることができる。